(57)【要約】【課題】フィルタ再生処理が実行されてもＮＯｘ浄化率の低下を補償できるようにした排気浄化装置を提供する。【解決手段】制御装置６０は、燃料添加弁３４から燃料を噴射してＤＰＦ３２の再生処理を実行すると、ＤＯＣ３０とＤＰＦ３２とのそれぞれに吸着された硫黄の量（硫黄被毒量）の推定値を減少補正する。また、制御装置６０は、フィルタ再生処理によってＤＯＣ３０とＤＰＦ３２とのそれぞれから脱離した硫黄がＳＣＲ３６に再吸着される量を算出し、ＳＣＲ３６の硫黄被毒量を更新する。そして、制御装置６０は、ＳＣＲ３６の更新されたい硫黄被毒量に基づき、還元剤添加弁３８から噴射する尿素量を設定する。【選択図】図１
2016188604.tif 000002
【特許請求の範囲】
【請求項１】
内燃機関の排気通路に設けられた選択還元型触媒と、
前記選択還元型触媒の上流に設けられて還元剤を排気に添加する還元剤添加弁と、
前記選択還元型触媒の上流に設けられ前記排気中の微粒子成分を補集するフィルタと、を備える排気浄化装置において、
前記フィルタの再生処理の実行時に当該フィルタからの硫黄の脱離量を算出する脱離量算出処理部と、
前記算出された脱離量に基づき、前記選択還元型触媒に吸着される硫黄の吸着量を算出する吸着硫黄量算出処理部と、
前記排気に添加する還元剤の基本量を算出する基本量算出処理部と、
前記吸着硫黄量算出処理部によって算出された吸着量に基づき、前記基本量を補正する補正処理部と、
前記補正処理部によって補正された基本量に基づき前記還元剤添加弁を操作する添加処理部と、を備えることを特徴とする排気浄化装置。
【発明の詳細な説明】
【技術分野】
【０００１】
本発明は、内燃機関の排気通路に設けられた選択還元型触媒と、前記選択還元型触媒の上流に設けられて還元剤を排気に添加する還元剤添加弁と、前記選択還元型触媒の上流に設けられ前記排気中の微粒子成分を補集するフィルタと、を備える排気浄化装置に関する。
【背景技術】
【０００２】
たとえば特許文献１には、内燃機関の排気通路に選択還元型触媒を備える排気浄化装置が記載されている。ここで、選択還元型触媒は、ＮＯｘを尿素水（還元剤）が熱分解されたアンモニアと反応させる触媒である。そして、この装置は、選択還元型触媒の入側の排気温度が所定温度以上となっている運転時間を積算し、選択還元型触媒の劣化度合いを推定し、推定した劣化度合いに応じて選択還元型触媒への尿素水の添加量を設定する。
【先行技術文献】
【特許文献】
【０００３】
【特許文献１】特開２００６−２４２０９４号公報
【発明の概要】
【発明が解決しようとする課題】
【０００４】
ところで、内燃機関において燃焼に供される燃料に硫黄（酸化硫黄等）が含まれる場合、選択還元型触媒に硫黄が付着し、選択還元型触媒におけるＮＯｘ浄化率が低下するおそれがある。ここで、ＮＯｘ浄化率が低下する場合、尿素水の添加量を増加させることによって、ＮＯｘ浄化率の低下を補償することが考えられる。これは、たとえば燃料噴射の履歴に応じて選択還元型触媒への硫黄の付着量を把握し、これに応じて尿素水の添加量を増加させることで実現可能である。
【０００５】
一方、選択還元型触媒の上流に、微粒子成分を補集するフィルタであるＤＰＦを備えたものにあっては、ＤＰＦにも硫黄が付着する。そして、ＤＰＦの再生処理（フィルタの再生処理）がなされると、ＤＰＦに付着した硫黄の一部が脱離するものの、それらの一部は、下流に配置された選択還元型触媒に再吸着される。そして、フィルタの再生処理によって選択還元型触媒に付着した硫黄によって、ＮＯｘ浄化率が低下するおそれがある。
【０００６】
このため、たとえ燃料噴射の履歴に応じて尿素水の添加量を増量させたとしても、ＤＰＦから脱離した硫黄が選択還元型触媒に再吸着されることに起因した選択還元型触媒のＮＯｘ浄化率の低下を補償できないおそれがある。
【０００７】
本発明は、そうした実情に鑑みてなされたものであり、その目的は、フィルタ再生処理が実行されてもＮＯｘ浄化率の低下を補償できるようにした排気浄化装置を提供することにある。
【課題を解決するための手段】
【０００８】
以下、上記課題を解決するための手段およびその作用効果について記載する。
排気浄化装置は、内燃機関の排気通路に設けられた選択還元型触媒と、前記選択還元型触媒の上流に設けられて還元剤を排気に添加する還元剤添加弁と、前記選択還元型触媒の上流に設けられ前記排気中の微粒子成分を補集するフィルタと、を備える排気浄化装置において、前記フィルタの再生処理の実行時に当該フィルタからの硫黄の脱離量を算出する脱離量算出処理部と、前記算出された脱離量に基づき、前記選択還元型触媒に吸着される硫黄の吸着量を算出する吸着硫黄量算出処理部と、前記排気に添加する還元剤の基本量を算出する基本量算出処理部と、前記吸着硫黄量算出処理部によって算出された吸着量に基づき、前記基本量を補正する補正処理部と、前記補正処理部によって補正された基本量に基づき前記還元剤添加弁を操作する添加処理部と、を備えることを特徴とする。
【０００９】
上記フィルタの再生処理が実行されると、フィルタに吸着した硫黄の一部が脱離する。そして、脱離した硫黄の一部は、フィルタの下流に配置されている選択還元型触媒に吸着される。ここで、選択還元型触媒に吸着される硫黄の吸着量は、選択還元型触媒に流入する硫黄量に依存する。
【００１０】
そこで上記構成では、まず、脱離量算出処理部によって、フィルタからの硫黄の脱離量を算出する。そして、吸着硫黄量算出処理部では、算出された脱離量に応じて選択還元型触媒に吸着される硫黄量を算出する。そして、補正処理部では、吸着硫黄量算出処理部によって算出された硫黄量に基づき、還元剤の基本量を補正する。このため、フィルタの再生処理に起因して選択還元型触媒に付着した硫黄による選択還元型触媒のＮＯｘ浄化率の低下を、補正された基本量の還元剤を添加することで補償することができる。したがって、フィルタ再生処理が実行されてもＮＯｘ浄化率の低下を補償できる。
【００１１】
なお、上記「硫黄」とは、硫黄単体を必ずしも意味せず、成分に硫黄原子を含むものを包含する。
【図面の簡単な説明】
【００１２】
【図１】排気浄化装置にかかる一実施形態のシステム構成図。
【図２】同実施形態にかかる尿素添加制御の処理手順を示す流れ図。
【図３】（ａ）〜（ｅ）は、同実施形態の比較例の作用を示すタイムチャート。
【発明を実施するための形態】
【００１３】
以下、排気浄化装置にかかる一実施形態について図面を参照して説明する。
図１に示す内燃機関１０は、軽油を燃料とする圧縮着火式の内燃機関（ディーゼル機関）である。内燃機関１０には複数の気筒＃１〜＃４が設けられている。そして、各気筒＃１〜＃４の燃焼室には、吸気通路１２から空気が吸入される。また、各気筒＃１〜＃４の燃焼室には、燃料噴射弁１３ａ〜１３ｄによって燃料が噴射される。そして、空気と燃料との混合気が燃焼に供されると、燃焼に供された混合気は、排気として、排気通路２０に排出される。
【００１４】
吸気通路１２および排気通路２０の途中には、排気圧を利用して気筒に導入される吸入空気を過給するターボチャージャ２２が設けられている。また、吸気通路１２と排気通路２０とは、環流通路２４によって接続されており、環流通路２４には、その流路断面積を調整する環流バルブ２６が設けられている。排気通路２０の途中にあって、ターボチャージャ２２の下流には、排気を浄化するＤＯＣ３０およびＤＰＦ３２が配設されている。
【００１５】
ＤＯＣ３０には、排気中のＨＣを酸化処理する触媒が担持されている。また、ＤＰＦ３２は、排気中のＰＭ（微粒子成分）を捕集する部材であって、多孔質のセラミックで構成されている。ＤＰＦ３２には、ＰＭの酸化を促進させるための触媒が担持されており、排気中のＰＭは、ＤＰＦ３２の多孔質の壁を通過する際に捕集される。
【００１６】
また、排気通路２０のうちＤＯＣ３０の上流には、ＤＯＣ３０やＤＰＦ３２に燃料を供給するための燃料添加弁３４が設けられている。
ＤＰＦ３２に捕集されたＰＭの量が所定値を超えると、ＤＰＦ３２の再生処理（フィルタ再生処理）が開始されて燃料添加弁３４からは排気通路２０内に向けて燃料が噴射される。燃料添加弁３４から噴射された燃料は、ＤＯＣ３０に達すると燃焼し、これにより排気温度の上昇が図られる。そして、ＤＯＣ３０にて昇温された排気がＤＰＦ３２に流入することにより、ＤＰＦ３２は昇温され、これによりＤＰＦ３２に堆積したＰＭが酸化処理されてＤＰＦ３２の再生が図られる。
【００１７】
さらに、排気通路２０の途中にあって、ＤＰＦ３２の下流には、排気中のアンモニアを浄化する選択還元型触媒（ＳＣＲ３６）が配設されている。排気通路２０には、ＳＣＲ３６に還元剤である尿素水を供給する還元剤添加弁３８が設けられている。還元剤添加弁３８から噴射された尿素水は、排気の熱によって加水分解されてアンモニアとなる。そしてこのアンモニアがＳＣＲ３６に供給される。なお、ＳＣＲ３６は、フィルタ再生処理中であっても、ＤＯＣ３０やＤＰＦ３２ほどには温度が上昇しない位置に配置されている。
【００１８】
さらに、排気通路２０の途中にあって、ＳＣＲ３６の下流には、排気中のアンモニアを浄化するアンモニア酸化触媒３９が配設されている。
内燃機関１０には、機関運転状態を検出するための各種センサが取り付けられている。例えば、エアフローメータ５０は吸気通路１２内の吸入空気量ＧＡを検出する。また、ターボチャージャ２２とＤＯＣ３０との間の排気通路２０には、第１排気温センサ５２が設けられている。ＤＰＦ３２とＳＣＲ３６との間の排気通路２０にあって、還元剤添加弁３８の上流には、第２排気温センサ５４が設けられている。第２排気温センサ５４は、ＳＣＲ３６に流入する前の排気温度である排気温を検出する。
【００１９】
制御装置６０は、内燃機関１０を制御対象とし、内燃機関１０の各種制御量を制御する。特に制御装置６０は、排気通路２０から外部に排出される排気の特性を制御するために還元剤添加弁３８を操作する。以下、これについて詳述する。
【００２０】
図２に、還元剤添加弁３８の操作による尿素添加制御の処理手順を示す。この処理は、制御装置６０によって、たとえば所定周期で繰り返し実行される。
この一連の処理において、制御装置６０は、まず、燃料噴射弁１３ａ〜１３ｄによる燃料噴射量と、回転速度ＮＥとに基づき、単位時間当たりの燃料消費量ＧＦを算出する（Ｓ１）。続いて制御装置６０は、燃料噴射弁１３ａ〜１３ｄにより噴射される燃料中の硫黄濃度と上記燃料消費量ＧＦとに基づき、ＤＯＣ３０等への硫黄の流入量Ｓｍａｓｓを算出する（Ｓ２）。ここで、「硫黄」とは、硫黄単体であることを意味せず、酸化硫黄等であることもあるが、流入量Ｓｍａｓｓは、硫黄化合物のうちの硫黄単体での質量流量とする。また、燃料中の硫黄濃度は、予め定められた固定値とする。これは、たとえば本実施形態にかかる排気浄化装置を出荷する地域（国）毎に、専用の固定値を設定するなどして実現可能である。
【００２１】
次に、制御装置６０は、流入量Ｓｍａｓｓに、ＤＯＣ３０への硫黄の吸着率ＤＯＣ_Ｓ_ａｂ_ｒａｔｉｏを乗算してＤＯＣ３０への硫黄の吸着量ＤＯＣ_Ｓ_ａｂを算出する（Ｓ３）。ここで、吸着率ＤＯＣ_Ｓ_ａｂ_ｒａｔｉｏは、ＤＯＣ３０を通過する排気流量と、ＤＯＣ３０の温度とに応じて算出される。これは、ＤＯＣ３０を通過する排気流量およびＤＯＣ３０の温度と、吸着率ＤＯＣ_Ｓ_ａｂ_ｒａｔｉｏとの関係を定めた２次元マップを予め制御装置６０に記憶しておくことで実現することができる。ここで、排気流量は、エアフローメータ５０によって検出される吸気流量に基づき算出すればよい。また、ＤＯＣ３０の温度は、第１排気温センサ５２によって検出される排気温や、ＤＯＣ３０の熱容量に基づき推定すればよい。この際、燃料添加弁３４から排気に燃料が添加されているときには、ＤＯＣ３０における燃料の燃焼によるＤＯＣ３０の温度上昇を加味することが望ましい。
【００２２】
続いて制御装置６０は、現時点における流入量Ｓｍａｓｓから吸着量ＤＯＣ_Ｓ_ａｂを減算することで、流入量Ｓｍａｓｓを更新する（Ｓ４）。こうして更新された流入量Ｓｍａｓｓは、排気通路２０のうちＤＯＣ３０よりも下流に流入する硫黄の量となる。
【００２３】
次に、制御装置６０は、更新された流入量Ｓｍａｓｓに、ＤＰＦ３２への硫黄の吸着率ＤＰＦ_Ｓ_ａｂ_ｒａｔｉｏを乗算することで、ＤＰＦ３２への硫黄の吸着量ＤＰＦ_Ｓ_ａｂを算出する（Ｓ５）。ここで、吸着率ＤＰＦ_Ｓ_ａｂ_ｒａｔｉｏは、ＤＰＦ３２を通過する排気流量と、ＤＰＦ３２の温度とに応じて算出される。これは、ＤＰＦ３２を通過する排気流量およびＤＰＦ３２の温度と、吸着率ＤＰＦ_Ｓ_ａｂ_ｒａｔｉｏとの関係を定めた２次元マップを予め制御装置６０に記憶しておくことで実現することができる。ここで、ＤＰＦ３２の温度は、第１排気温センサ５２によって検出される排気温や、ＤＰＦ３２の熱容量に基づき推定すればよい。この際、燃料添加弁３４から排気に燃料が添加されているときには、ＤＯＣ３０やＤＰＦ３２における燃料の燃焼によるＤＰＦ３２の温度上昇を加味することが望ましい。
【００２４】
続いて制御装置６０は、現時点における流入量Ｓｍａｓｓから吸着量ＤＰＦ_Ｓ_ａｂを減算することで、流入量Ｓｍａｓｓを更新する（Ｓ６）。こうして更新された流入量Ｓｍａｓｓは、排気通路２０のうちＤＰＦ３２よりも下流に流入する硫黄の量となる。
【００２５】
次に、制御装置６０は、更新された流入量Ｓｍａｓｓに、ＳＣＲ３６への硫黄の吸着率ＳＣＲ_Ｓ_ａｂ_ｒａｔｉｏを乗算することで、ＳＣＲ３６への硫黄の吸着量ＳＣＲ_Ｓ_ａｂを算出する（Ｓ７）。ここで、吸着率ＳＣＲ_Ｓ_ａｂ_ｒａｔｉｏは、ＳＣＲ３６を通過する排気流量と、ＳＣＲ３６の温度とに応じて算出される。これは、ＳＣＲ３６を通過する排気流量およびＳＣＲ３６の温度と、吸着率ＳＣＲ_Ｓ_ａｂ_ｒａｔｉｏとの関係を定めた２次元マップを予め制御装置６０に記憶しておくことで実現することができる。ここで、ＳＣＲ３６の温度は、第２排気温センサ５４によって検出される排気温や、ＳＣＲ３６の熱容量に基づき推定すればよい。
【００２６】
次に、制御装置６０は、フィルタ再生処理中であるか否かを判断する（Ｓ８）。この処理は、ＤＯＣ３０およびＤＰＦ３２が高温となることで、ＤＯＣ３０やＤＰＦ３２に吸着された硫黄の一部が脱離する状況にあるか否かを判断するためのものである。そして、制御装置６０は、フィルタ再生処理中であると判断する場合（Ｓ８：ＹＥＳ）、ＤＯＣ３０からの硫黄の脱離量ＤＯＣ_Ｓ_ｄｓｏｐを算出する（Ｓ９）。これは、ＤＯＣ３０の温度と脱離量ＤＯＣ_Ｓ_ｄｓｏｐとの関係を定めた１次元マップを制御装置６０に予め記憶しておくことで実現することができる。なお、脱離量ＤＯＣ_Ｓ_ｄｓｏｐは、脱離する硫黄が単体であるか化合物であるかによらず、硫黄単体での質量とする。そして、制御装置６０は、ＤＯＣ３０の硫黄の吸着量ＤＯＣ_Ｓ_ａｂから脱離量ＤＯＣ_Ｓ_ｄｓｏｐを減算して、吸着量ＤＯＣ_Ｓ_ａｂを更新する（Ｓ１０）。
【００２７】
次に、制御装置６０は、ＤＰＦ３２からの硫黄の脱離量ＤＰＦ_Ｓ_ｄｓｏｐを算出する（Ｓ１１）。これは、ＤＰＦ３２の温度と脱離量ＤＰＦ_Ｓ_ｄｓｏｐとの関係を定めた１次元マップを制御装置６０に予め記憶しておくことで実現することができる。なお、脱離量ＤＰＦ_Ｓ_ｄｓｏｐは、脱離する硫黄が単体であるか化合物であるかによらず、硫黄単体での質量とする。そして、制御装置６０は、ＤＰＦ３２の硫黄の吸着量ＤＰＦ_Ｓ_ａｂから脱離量ＤＰＦ_Ｓ_ｄｓｏｐを減算して、吸着量ＤＰＦ_Ｓ_ａｂを更新する（Ｓ１２）。
【００２８】
次に、制御装置６０は、ＤＯＣ３０およびＤＰＦ３２のそれぞれからの硫黄の脱離量の合算値Ｓｍａｓｓ_ｄｏｓｐを算出する（Ｓ１３）。そして、制御装置６０は、合算値Ｓｍａｓｓ_ｄｏｓｐと、ＳＣＲ３６への硫黄の吸着率ＳＣＲ_Ｓ_ａｂ_ｒａｔｉｏとに基づき、ＳＣＲ３６への上記脱離した硫黄の吸着量ＳＣＲ_Ｓ_ａｂ_ｄｓｏｐを算出する（Ｓ１４）。そして、制御装置６０は、ステップＳ７において算出した吸着量ＳＣＲ_Ｓ_ａｂに、ステップＳ１４において算出した吸着量ＳＣＲ_Ｓ_ａｂ_ｄｓｏｐを加算することによって、吸着量ＳＣＲ_Ｓ_ａｂを更新する（Ｓ１５）。
【００２９】
制御装置６０は、ステップＳ１５の処理が完了する場合や、ステップＳ８において否定判断する場合には、尿素添加補正量の算出処理を実行する（Ｓ１６〜Ｓ１９）。すなわち、制御装置６０は、まず、吸着量ＤＯＣ_Ｓ_ａｂと、ＳＣＲ３６の温度（床温）とに基づき、ＤＯＣ３０の硫黄被毒に起因した尿素添加補正量ＤＯＣ_ｕｒｅａを算出する（Ｓ１６）。これは、ＤＯＣ３０が硫黄被毒すると、ＳＣＲ３６に流入する排気中のＮＯｘに占めるＮＯ２の割合が低下することに鑑みた処理である。すなわち、ＳＣＲ３６によるＮＯｘの浄化性能は、排気中のＮＯｘに占めるＮＯ２の割合が低下することで低下する。このため、吸着量ＤＯＣ_Ｓ_ａｂが多いほど尿素添加補正量ＤＯＣ_ｕｒｅａを増量することによって、排気中のＮＯｘに占めるＮＯ２の割合の低下に起因したＳＣＲ３６によるＮＯｘの浄化性能の低下を補償する。また、制御装置６０は、ＳＣＲ３６の温度が第１温度および第１温度より高い第２温度の間にあるときよりも、間にないときの方が、尿素添加補正量ＤＯＣ_ｕｒｅａを増量する。ここで、第１温度および第２温度の間の領域は、ＳＣＲ３６によるＮＯｘの浄化性能が高い領域である。
【００３０】
同様、制御装置６０は、吸着量ＤＰＦ_Ｓ_ａｂと、ＳＣＲ３６の温度（床温）とに基づき、ＤＰＦ３２の硫黄被毒に起因した尿素添加補正量ＤＰＦ_ｕｒｅａを算出する（Ｓ１７）。
【００３１】
また、制御装置６０は、吸着量ＳＣＲ_Ｓ_ａｂと、ＳＣＲ３６の温度（床温）とに基づき、ＳＣＲ３６の硫黄被毒に起因した尿素添加補正量ＳＣＲ_ｕｒｅａを算出する（Ｓ１８）。ここで、制御装置６０は、吸着量ＳＣＲ_Ｓ_ａｂが多いほど、尿素添加補正量ＳＣＲ_ｕｒｅａを増量する。これは、ＳＣＲ３６の硫黄被毒量が多いほど、尿素添加量を所与とした場合のＮＯｘの浄化性能が低下することに鑑みたものである。また、制御装置６０は、ＳＣＲ３６の温度が上記第１温度および上記第２温度の間にあるときよりも、間にないときの方が、尿素添加補正量ＳＣＲ_ｕｒｅａを増量する。
【００３２】
そして、制御装置６０は、尿素添加補正量ＤＯＣ_ｕｒｅａ、尿素添加補正量ＤＰＦ_ｕｒｅａ、および尿素添加補正量ＳＣＲ_ｕｒｅａを加算することによって、硫黄被毒によるＮＯｘ浄化性能の低下を補償するための尿素添加補正量Ｓ_ｕｒｅａを算出する（Ｓ１９）。次に、制御装置６０は、尿素添加指令値ｅｇｕｒｅａｆに、尿素添加補正量Ｓ_ｕｒｅａを加算することによって、尿素添加指令値ｅｇｕｒｅａｆを補正する（Ｓ２０）。ここで、補正前の尿素添加指令値ｅｇｕｒｅａｆは、都度の排気中のＮＯｘの量に応じて設定されるものである。ここで、制御装置６０は、ＮＯｘの量を、エアフローメータ５０による検出値に応じて把握される排気量に、排気中のＮＯｘ濃度を乗算することで算出する。また、制御装置６０は、ＮＯｘ濃度を、吸入酸素濃度、燃料噴射弁１３ａ〜１３ｄによる燃料の噴射時期、燃料の噴射圧、および過給圧等に基づき推定する。ここで、制御装置６０は、吸入酸素濃度を、ＥＧＲ量に応じて推定する。
【００３３】
そして、制御装置６０は、補正された尿素添加指令値ｅｇｕｒｅａｆに応じて燃料添加弁３４を操作して、排気中に尿素を添加し（Ｓ２１）、この一連の処理を一旦終了する。
ここで、本実施形態の作用を説明する。
【００３４】
制御装置６０は、フィルタ再生処理を実行すると、ＤＯＣ３０およびＤＰＦ３２から脱離してＳＣＲ３６に再吸着された硫黄の吸着量を算出する（Ｓ１４）。そして、再吸着される硫黄の吸着量を含めたＳＣＲ３６の硫黄の吸着量に基づき、尿素添加補正量ＳＣＲ_ｕｒｅａを算出し（Ｓ１８）、これに基づき、尿素添加処理を実行する。
【００３５】
図３に、本実施形態との比較例を示す。詳しくは、図３（ａ）は、ＤＯＣ３０およびＤＰＦ３２の硫黄被毒量の推移を示し、図３（ｂ）は、ＳＣＲ３６の硫黄被毒量の推移を示し、図３（ｃ）は、尿素添加量の推移を示し、図３（ｄ）は、ＳＣＲ３６によるＮＯｘ浄化率の推移を示す。ここでＮＯｘ浄化率とは、尿素添加量に対するＳＣＲ３６で浄化されるＮＯｘ量の割合とする。図３（ｅ）は、ＳＣＲ３６へのアンモニアの吸着量の推移を示す。なお、図３における実線は、実際の値であり、一点鎖線は、制御主体が認識する値である。
【００３６】
図３において、ケース１は、フィルタ再生処理によるＤＯＣ３０やＤＰＦ３２からの硫黄の脱離量を考慮しない制御をした場合を示す。この場合、時刻ｔ１においてフィルタ再生処理が実行されることによってＤＯＣ３０やＤＰＦ３２の硫黄被毒量が減少したことは制御主体に認識されない。また、ＤＯＣ３０やＤＰＦ３２から脱離した硫黄がＳＣＲ３６に吸着されることによってＳＣＲ３６の硫黄被毒量が増加することも認識されない。このため、フィルタ再生処理が実行された後も、ＮＯｘ浄化率は漸減すると認識され、尿素添加量が漸増される。
【００３７】
しかし、時刻ｔ１にフィルタ再生処理が実行されると、実際のＤＯＣ３０やＤＰＦ３２の硫黄被毒量が減少し、ＳＣＲ３６の硫黄被毒量が増加する。そして、ＳＣＲ３６に硫黄が吸着されることによるＳＣＲ３６のＮＯｘ浄化率の低下よりも、ＤＯＣ３０およびＤＰＦ３２の硫黄被毒量が低下することによるＳＣＲ３６のＮＯｘ浄化率の向上の方が大きい。このため、実際のＳＣＲ３６のＮＯｘ浄化率は、フィルタ再生処理が実行されることによって上昇する。このため、尿素添加量が過大となり、ＳＣＲ３６のアンモニア吸着量が増加する。
【００３８】
また、図３において、ケース２は、フィルタ再生処理によるＤＯＣ３０やＤＰＦ３２からの硫黄の脱離量を考慮しつつも、脱離した硫黄がＳＣＲ３６に再吸着されることについては考慮しない制御をした場合を示す。この場合、時刻ｔ１においてフィルタ再生処理が実行されることによってＤＯＣ３０やＤＰＦ３２から脱離した硫黄がＳＣＲ３６に吸着されることによってＳＣＲ３６の硫黄被毒量が増加することは、制御主体によって認識されない。このため、制御主体は、フィルタ再生処理によるＮＯｘ浄化率を実際よりも高いとして、尿素添加量を過度に減少させてしまう。このため、ＳＣＲ３６のアンモニア吸着量が漸減する。
【００３９】
以上説明した本実施形態によれば、以下に記載する効果が得られるようになる。
（１）制御装置６０により再吸着される硫黄の吸着量を含めたＳＣＲ３６の硫黄の吸着量に基づき、尿素添加補正量ＳＣＲ_ｕｒｅａを算出し（Ｓ１８）、これに基づき、尿素添加処理を実行したため、フィルタ再生処理が実行されてもＮＯｘ浄化率の低下を補償できる。
【００４０】
（２）フィルタ再生処理によるＤＯＣ３０やＤＰＦ３２の硫黄被毒量の変化に応じて、尿素添加補正量ＳＣＲ_ｕｒｅａを算出したため、尿素添加量を適切な値とすることができる。
【００４１】
＜その他の実施形態＞
なお、上記実施形態にかかる事項の少なくとも１つを、以下のように変更して実施してもよい。なお、「課題を解決するための手段」の欄に記載した事項と、実施形態との対応は次のようになっている。すなわち、脱離量算出処理部は、ステップＳ１１に対応し、吸着硫黄量算出処理部は、ステップＳ１４に対応し、還元剤の基本量は、ステップＳ２０において補正される前の尿素添加指令値ｅｇｕｒｅａｆに対応し、補正処理部は、ステップＳ２０に対応し、添加処理部は、ステップＳ２１に対応する。
【００４２】
・燃料中の硫黄濃度の情報の取得手法としては、硫黄濃度の情報を制御装置６０に記憶しておくものに限らず、たとえば、燃料タンクに硫黄濃度を検出するセンサを備えるものであってもよい。
【００４３】
・排気中の硫黄の量を算出する手法としては、図２のステップＳ１，Ｓ２の処理によるものに限らない。たとえば、排気通路２０にＳＯｘの濃度を検出するセンサを備え、同センサの検出値に基づき、硫黄の質量流量を算出してもよい。
【００４４】
・ＤＰＦ３２に、ＰＭの酸化を促進させるための触媒が担持されていることは必須ではない。この場合、ＰＭの酸化を促進させるための触媒が担持されていない場合、尿素添加補正量ＤＰＦ_ｕｒｅａの算出処理を削除し、尿素添加補正量Ｓ_ｕｒｅａに、尿素添加補正量ＤＰＦ_ｕｒｅａを含めないでよい。ちなみに、ＤＰＦ３２に、ＰＭの酸化を促進させるための触媒（酸化触媒）が担持されていない場合であっても、ＤＰＦ３２が硫黄を付着するものである場合には、フィルタ再生処理によって、ＤＰＦ３２で脱離した硫黄の再吸着が生じうる。
【００４５】
・ＤＰＦ３２とＳＣＲ３６との間の排気通路２０に、ＮＯｘセンサを設けてもよい。この場合、尿素添加指令値ｅｇｕｒｅａｆの算出に、ＮＯｘ濃度の推定値を用いる代わりにセンサの検出値を用いることができる。
【符号の説明】
【００４６】
１０…内燃機関、１２…吸気通路、１３ａ〜１３ｄ…燃料噴射弁、２０…排気通路、２２…ターボチャージャ、２４…環流通路、２６…環流バルブ、３０…ＤＯＣ、３２…ＤＰＦ、３４…燃料添加弁、３６…ＳＣＲ、３８…還元剤添加弁、３９…アンモニア酸化触媒、５０…エアフローメータ、５２…第１排気温センサ、５４…第２排気温センサ、６０…制御装置。
【図１】
2016188604.tif 000003
【図２】
2016188604.tif 000004
【図３】
2016188604.tif 000005